(57)【要約】      （修正有）【課題】仰向け姿勢から起き上がり運動を行う時の運動傷害を防止し、コンパクトで経済的であり多機能性の作用効果を有する起き上がり運動用器具を提供する。【解決手段】ヘッドレストが嵌合されて地面に平らに置かれるＵ形ロッド１と、その両側よりそれぞれ前向き上方に接続されて、略Ｃ形を呈する湾曲状のスイングロッド２を有し、左右のスイングロッドの上端は横向きにＵ形のグリップバー３で連接され、別にＵ形ロッドの左右側に、上に凸設されたウエイト嵌合ロッド１２と水平方向に突出するストッパフレーム１３が設けられ、使用者が仰向けになりヘッドレスト１０に頭を乗せ、両手でグリップバーを握り、腰、腹、手部に力を入れてフレームを駆動して往復して揺動させることで、起き上がり運動を行え、異なる使用者或いは長時間の運動にはウエイト嵌合ロッドにウエイトを嵌合でき、また反対に置いてうつ伏せになり、梃子運動に使用でき、使用方式変換と長期使用の経済的実用的効果を達成する。【選択図】図１
0003166427.tif 000002
【実用新案登録請求の範囲】
【請求項１】
起き上がり運動用器具において、Ｕ形ロッド、スイングロッド、及びグリップバーで構成され、該Ｕ形ロッドは、柱状のヘッドレストを貫通し、並びに平らに地面上に置かれるロッドシートであり、その両側よりそれぞれ前向き上方に、略Ｃ形を呈する湾曲状の該スイングロッドがネジ止めされ、左右の該スイングロッドの上端にネジで横向きにＵ形の該グリップバーが接続され、該Ｕ形ロッドの左右側に水平に突出するストッパフレームがネジ止めされたことを特徴とする、起き上がり運動用器具。
【請求項２】
請求項１記載の起き上がり運動用器具において、該Ｕ形ロッドの左右側に、上向きに突出するウエイト嵌合ロッドがネジ止めされたことを特徴とする、起き上がり運動用器具。
【考案の詳細な説明】
【技術分野】
【０００１】
本考案は一種の運動用器具に係り、特に一種の起き上がり運動用器具に関する。
【背景技術】
【０００２】
アンバランスな食事と運動場所及び運動量の欠乏、且つ人々の健康に対する意識の高まりから、エクササイズマシンが生まれた。一般に、仰臥姿勢から起き上がり運動を行うと、極めて運動傷害を発生しやすく、このため起き上がり運動用器具の使用が必要である。しかし、現在ある起き上がり運動用器具は価格が高くなくても、体積が膨大であるか、異なる使用者は使用できないか、或いは長時間の運動に使用できる多機能性がなく、更なる研究開発の必要があった。
【考案の概要】
【考案が解決しようとする課題】
【０００３】
これを鑑み、本考案は一種の組合せ式の起き上がり運動用器具を提供することを目的とし、すなわち、本考案の起き上がり運動用器具は、ヘッドレストが嵌合されて地面に平らに置かれるＵ形ロッドと、その両側よりそれぞれ前向き上方に接続されて、略Ｃ形を呈する湾曲状のスイングロッドを有し、左右のスイングロッドの上端は横向きにＵ形のグリップバーで連接され、使用者が仰向けになりヘッドレストに頭を乗せ、両手でグリップバーを握り、腰、腹、手部に力を入れてフレームを駆動して往復して揺動させることで、起き上がり運動を行え、体積を縮減できる経済的で実用的な考案であるものとする。
【０００４】
本考案の次の目的は、一種の組合せ式の起き上がり運動用器具を提供することにあり、それは別にＵ形ロッドの左右側に、上に凸設されたウエイト嵌合ロッドと水平方向に突出するストッパフレームが設けられ、異なる使用者或いは長時間の運動にはウエイト嵌合ロッドにウエイトを嵌合でき、また反対に置いてうつ伏せになり、梃子運動に使用でき、使用方式を変換して長期使用できる実用的効果を達成するものとする。
【課題を解決するための手段】
【０００５】
請求項１の考案は、起き上がり運動用器具において、Ｕ形ロッド、スイングロッド、及びグリップバーで構成され、該Ｕ形ロッドは、柱状のヘッドレストを貫通し、並びに平らに地面上に置かれるロッドシートであり、その両側よりそれぞれ前向き上方に、略Ｃ形を呈する湾曲状の該スイングロッドがネジ止めされ、左右の該スイングロッドの上端にネジで横向きにＵ形の該グリップバーが接続され、該Ｕ形ロッドの左右側に水平に突出するストッパフレームがネジ止めされたことを特徴とする、起き上がり運動用器具としている。
請求項２の考案は、請求項１記載の起き上がり運動用器具において、該Ｕ形ロッドの左右側に、上向きに突出するウエイト嵌合ロッドがネジ止めされたことを特徴とする、起き上がり運動用器具としている。
【考案の効果】
【０００６】
本考案の起き上がり運動用器具は、仰向け姿勢から起き上がり運動を行う時の運動傷害を防止し、コンパクトで経済的であり多機能性の作用効果を有する。
【図面の簡単な説明】
【０００７】
【図１】本考案の実施例の立体図である。
【図２】本考案の実施例の立体分解図である。
【図３】本考案の実施例の側面図である。
【図４】本考案の別の実施例の側面図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図４に示されるように、本考案はＵ形ロッド（１）、スイングロッド（２）及びグリップバー（３）が組み合わされてなる。
【００１０】
該Ｕ形ロッド（１）は柱状のヘッドレスト（１０）に通され、並びに平らに地面上に置かれるロッドシートであり、その両側端にネジ（１１）で前向き上方に略Ｃ形の湾曲状のスイングロッド（２）が接続され、左右のスイングロッド（２）の上端間は、ネジ（１１）で横向きのＵ形ロッド（１）が接続されている。
【００１１】
別にＵ形ロッド（１）の左右側にはネジ（１１）で上向きに突出するウエイト嵌合ロッド（１２）と、水平方向に突出するストッパフレーム（１３）が接続されている。
【００１２】
実際の操作使用時には、使用者は仰向けになり、頭部をＵ形ロッド（１）のヘッドレスト（１０）に乗せ、並びに両手で上方のグリップバー（３）を握り、腰、腹、手部に力を入れて、フレームを駆動し左右のスイングロッド（２）を往復して揺動させ、並びにＵ形ロッド（１）の左右側の水平方向に突出するストッパフレーム（１３）をストッパとして、回転過度を防止し、こうして仰臥姿勢からの起き上がり運動効果を達成し、組合せ構造により運搬や収納に場所をとらず、経済的である。
【００１３】
また、異なる使用者或いは長時間の運動に対しては、ウエイト嵌合ロッド（１２）にウエイトを嵌合し、及び、図４に示されるように、逆に置いて両手でスイングロッド（２）を握り、仰向けとなって、両足を地面より離すか、或いはうつ伏せとなって爪先を地面上に支え、ストレッチ或いは梃子運動として使用でき、施力の大きさを変換し、長期使用と多機能性の使用の効果を達成する。
【００１４】
本考案の構造及び装置はその出願前に市場になく或いは刊行物における記載がなく、
収納運搬体積を縮減する経済組合せ効果のほか、施力の大きさを変換し長期使用及び多機能性の使用の効果を有し、機能上、明かに改善されており、実用新案登録の要件に符合する。
【００１５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１６】
１  Ｕ形ロッド          ２  スイングロッド      ３  グリップバー
１０  ヘッドレスト      １１  ネジ              １２  ウエイト嵌合ロッド
１３  ストッパフレーム
【図１】
0003166427.tif 000003
【図２】
0003166427.tif 000004
【図３】
0003166427.tif 000005
【図４】
0003166427.tif 000006